(57)【要約】      （修正有）【課題】引出の走行が容易なキャビネットにおいて、引出を引き出す際の初期走行速度を遅くすることができる走行機構を提供する。【解決手段】家具Ｆの側壁Ｗ又は引出Ｈの側板Ｇに引出の遅延装置Ｃを取り付け、引出Ｈの側板Ｇ又は家具Ｆの側壁ＷにストライクＳを取り付けておき、引出Ｈの閉時に遅延装置ＣとストライクＳを係合させておく。引出Ｈの開放初期に遅延装置Ｃで引出Ｈの走行速度を遅くし、引出Ｈが所定の距離を走行した後は遅延装置ＣとストライクＳの係合を解いて、引出Ｈを自由走行させる。【選択図】図１
2015116452.tif 000002
【特許請求の範囲】
【請求項１】
引出を収納するキャビネットの側壁又は該側壁と対向する引出の側板に引出の走行速度を遅らせる遅延装置を設置するとともに、引出の側板又は前記キャビネットの側壁に遅延装置と係合するストライクを設置し、引出の開放時に一定距離だけ遅延装置とストライクを係合させて引出の初期走行速度を遅延させ、その後、遅延装置とストライクとの係合を解くことにより引出の引出速度を自由速度にすることを特徴とする引出の走行機構。
【請求項２】
引出の開放時にランナーと係合して引出の初期走行速度を遅延させる引出の遅延装置は、
シリンダー内にピストンが収納され、該ピストンにロッドが固定されたダンパー；
前記ロッドの端部に取り付けられ、ロッドの移動に伴って摺動するランナー；
上部が前記ランナーに対して回動自在に取り付けられ、水平方向二箇所には横方に突設したガイドピンが形成されているとともに、下部には遅延装置を作動させるストライクと係合可能な係合部が形成されたトリガー；
端部にダンパー収納部が形成され、ランナーの摺動方向に平行した長尺部とシリンダー近傍でシリンダー方向に傾斜している短尺部から成るガイド溝が形成されたケース；
から構成されていることを特徴とする引出の走行遅延装置。
【発明の詳細な説明】
【技術分野】
【０００１】  本発明は、引出を有する食器洗浄機、精密部品収納体、劇薬収納体、家具等のキャビネットにおいて、引出を開けるときに、引出の初期走行速度を遅らせることができる引出の走行機構および該走行機構に用いる引出の走行遅延装置に関する。
【技術背景】
【０００２】  一般に引出を有するキャビネットには、キャビネットの側壁内側にガイドレールを取り付け、該ガイドレールと対向する引出の側板にスライドレールを取り付けてある。そしてガイドレールとスライドレール間には、引出の走行を容易にするために戸車や多数のボールベアリングを有するリテーナが設置されている。従ってキャビネットの引出は、軽い力で開閉が行えるという軽快性に富んだものである。
【０００３】  従来の引出式のビルトイン食器洗浄機は、洗浄槽を引き出すことが機械で自動的に行われ、洗浄槽の全開まで停止することはなかった。そのため食器洗浄機の前方に人がいた場合、その人が食器洗浄機と食器洗浄機に対面する物とに挟まれることがあった。そこでこの挟まれることをさけるため、洗浄槽を外枠内から移動中に所定の位置まで動作させた後、洗浄槽の移動を一旦停止させ、それからは手動で全開まで引き出すという食器洗浄機が提案されている。（特許文献１）
【先行技術文献】
【特許文献】
【０００４】
【特許文献１】  特開２００８−７３１３３号公報
【発明の概要】
【発明が解決しようとする課題】
【０００５】  ところで軽い力で引き出されるキャビネットでは、引出開放時に引出を少し強い力で開けると、引出の開放初期から走行速度が速くなり、引出が完全に開いてストッパーに当たったときには勢いが付き過ぎて、引出の中に収納した物が引出から飛び出してしまい、床上に落下することがあった。【０００６】  このとき引出に収納してある物がビン入りの劇薬の場合、ビンが引出から飛び出すと、ビンが床上では割れてビンの中の劇薬が飛散し、毒ガスが発生したり、人にかかって火傷を負わしたりして重大事故となる。また引出に収納した物が精密部品の場合、それが床上に落下すると変形したり、汚れが付着したりして精密部品の信頼性が損なわれてしまう。そして引出に収納した物が割れやすい物である場合、それが床上に落下すると割れてしまい商品価値が全くなくなってしまう。【０００７】  特に引出の初期走行速度が速いことで問題となるのは食器洗浄機である。引出式のビルトイン食器洗浄機では、全ての洗浄工程を終えた後に洗浄槽である引出を開ける場合は、全ての機械が停止し、ノズルから噴出していた洗浄用の熱湯の噴出も止まっているため何ら問題はないが、洗浄工程中に引出を開けると重大事故を起こす虞があった。つまり食器洗浄機で食器の洗浄中に子供が開けたり、食器洗浄機の取り扱いに詳しくない人が開けたりした場合、安全装置が起動して食器洗浄機の各機械類は停止するが、熱湯を供給するパイプ内には残留圧力で熱湯が残っている。従って、食器洗浄機の各機械類が停止後、短時間（危険な時間差）であるが、ノズルからは熱湯が噴出した状態となっている。安全装置起動後、この危険な時間差間に引出が引き出されると、熱湯が食器洗浄機の外部に噴出し、食器洗浄機を開けた人にかかって大火傷を負わすことになる。【０００８】  特許文献１の食器洗浄機は、食器洗浄後、洗浄槽の開放途中まで一定速度で走行するが、洗浄中に誤って洗浄槽を引き出した場合、ノズルからの熱湯の噴出が終了するまでの危険な時間差をなくすことはできなかった。【０００９】  本発明は、子供や食器洗浄機の取り扱いに詳しくない人が食器洗浄機の稼働中に誤って引出を開けても、熱湯を浴びることがなく、また精密部品収納体、劇薬収納体、家具等においても引出内の収納物を引出の外に飛び出させることがないという引出の走行機構および該引出の走行機構に適した引出の走行遅延装置（以下、単に遅延装置という）を提供することにある。
【課題を解決するための手段】
【００１０】  本発明者らは、ピストンでシリンダー内の流体を押す構造のダンパーは、シリンダー内に存在する流体をピストンで押圧して、オリフィスや小間隙から少しずつ流出させると、ピストンは流体の抵抗によりゆっくりとシリンダー底部方向に移動することに着目して本発明を完成させた。【００１１】  請求項１の発明は、引出を収納するキャビネットの側壁又は該側壁と対向する引出の側板に引出の走行速度を遅らせる遅延装置を設置するとともに、引出の側板又は前記キャビネットの側壁に遅延装置と係合するストライクを設置し、引出の開放時に一定距離だけ遅延装置とストライクを係合させて引出の初期走行速度を遅延させ、その後、遅延装置とストライクとの係合を解くことにより引出の引出速度を自由速度にすることを特徴とする引出の走行機構である。【００１２】  請求項２の発明は、引出の開放時にランナーと係合して引出の初期走行速度を遅延させる引出の遅延装置は、
シリンダー内にピストンが収納され、該ピストンにロッドが固定されたダンパー；
前記ロッドの端部に取り付けられ、ロッドの移動に伴って摺動するランナー；
上部が前記ランナーに対して回動自在に取り付けられ、水平方向二箇所には横方に突設したガイドピンが形成されているとともに、下部には遅延装置を作動させるストライクと係合可能な係合部が形成されたトリガー；
端部にダンパー収納部が形成され、ランナーの摺動方向に平行した長尺部とシリンダー近傍でシリンダー方向に傾斜している短尺部から成るガイド溝が形成されたケース；
から構成されていることを特徴とする引出の走行遅延装置である。
【発明の効果】
【００１３】  本発明の引出の走行機構によれば、引出又は引出を収納するキャビネットに遅延装置と係合可能なストライクを設置してあり、引出を収納するキャビネットの側壁又は引出の側板に遅延装置を設置してあって、引出が閉まっているときには遅延装置とストライクが係合しているため、引出を強い力で引き出そうとしても、遅延装置が強い力に抗して引出は一定の遅い速度でしか走行しない。従って、本発明を採用した食器洗浄機においては、子供や食器洗浄機の取り扱いに詳しくない人が食器洗浄機の稼働中に引出である洗浄槽を引き出した場合、遅延装置とストライクが係合している状態ではノズルから熱湯が噴出していても洗浄槽は遅延装置により早く引き出すことはできない。そしてノズルからの熱湯の噴出が終わったころに、洗浄槽が容易に引き出されるため、熱湯による火傷を負うことはない。【００１４】  また本発明の引出の走行機構を採用した精密部品収納体、劇薬収納体、家具等においても、例え不用意に引出を開けようとしても、開放初期には引出を引き出す力に対して抵抗があるため、ここで引出を開ける人は引出の中には外に飛び出して問題になるものがあることに気が付き、その後は引出を静かに開けるようになる。つまり本発明の引出の走行機構は、引出を開けるときに熱湯や劇薬が引出の外部に噴出したり飛散したりしないという安全性と、引出から精密部品や壊れ物が飛び出して破損や変形をさせないという信頼性にも優れたものである。【００１５】  本発明の遅延装置は、引出を開けるときに、ストライクからトリガーに加えられた力は、ランナー、ロッドを介してピストンに伝達されるようになっている。このときピストンはシリンダーの底部方向に移動しようとするが、ピストンに押されたダンパー内の流体は小さなオリフィスや狭い間隙から少しずつ流出していくため、ピストンはゆっくりとシリンダーの底部方向に移動する。そしてトリガーが一定距離だけ移動したときに、トリガーが傾斜して、トリガーとストライクとの係合が解かれる。すると遅延装置による移動の抵抗はなくなり、引出は自由に引き出すことができるようになり、引出の開放初期速度を遅くしたいキャビネットには適したものである。
【図面の簡単な説明】
【００１６】
【図１】本発明の引出の走行機構を採用したキャビネットの斜視図
【図２】本発明遅延装置の分解斜視図
【図３】本発明遅延装置の正面図
【図４】本発明遅延装置の底面図
【図５】本発明遅延装置において、ケースを開いて内部構造を説明する図
【図６】本発明遅延装置のケースを開いた状態の正面図
【図７】本発明遅延装置に使用するランナーの正面図
【図８】本発明遅延装置に使用するランナーの底面図
【図９】本発明遅延装置に使用するランナーの右側面図
【図１０】本発明遅延装置に使用するトリガーの正面図
【図１１】本発明遅延装置に使用するトリガーの底面図
【図１２】本発明遅延装置に使用するトリガーの右側面図
【図１３】引出開閉時の遅延装置の変動を説明する図  （ａ）引出の閉時における遅延装置のトリガーとストライクの係合状態を説明する図  （ｂ）引出の開放初期において、遅延装置のトリガーとストライクの係合が解かれる瞬間を説明する図  （ｃ）遅延装置のトリガーとストライクの係合が解かれた後の状態を説明する図  （ｄ）引出を解放後、引出を閉めるときにトリガーとストライクの係合を説明する図
【図１４】ストライクの正面図
【図１５】ストライクの左側面図
【発明を実施するための形態】
【００１７】  先ず、遅延装置について説明する。遅延装置は、キャビネットの側壁又は引出の側板に取り付けるものであるが、取り付け方によって上下左右は決まらない。そこで図での説明では、理解に便宜なように、図で見たとおりの左・右・上・下の文言を用いて説明する。また本発明の実施例では、キャビネットの側壁に遅延装置を取り付け、引出の側板にストライクを取り付けたもので説明するが、本発明ではキャビネットの側壁にストライクを取り付け、キャビネットの側板に遅延装置を取り付けてもよい。
【００１８】  遅延装置Ｃは、ダンパー１０、ランナー２０、トリガー３０及びケース４０から構成されている。
【００１９】  ダンパー１０は、図５に示すように、シリンダー１１、シリンダー内に挿入されたピストン１２、ピストンに固定されたロッド１３から成り、流体がシリンダーから出入りするものである。実施例に示すダンパーは、流体として空気を使用するものであり、ピストン１２をシリンダー１１の底部１４方向（図５の左方）へ移動させたときにピストン１２とシリンダーの底部１４間にある空気が底部１４やピストンに形成された図示しないオリフィスやシリンダー１１の内壁とピストン１２間の僅かな間隙から少しずつ外部に流出するようになっている。従って、ピストン１２を底部方向に移動させるときには抵抗があり、ピストン１２はゆっくりと移動するようになっている。
【００２０】  またシリンダーの底部やピストン１２には図示しない逆止弁が設置されている。該逆止弁は、ピストン１２を底部１４と反対方向（図５の右方）へ移動させるときに、外部の空気をシリンダー１１内に容易に流入させることができるようになっており、ピストン１２は何ら抵抗なく移動できる。本発明の遅延装置で使用するダンパーは、流体として空気を使ったエアーダンパーや油を使ったオイルダンパー等であり、これらのダンパーは一般に用いられるものである。
【００２１】  ランナー２０は、図７〜９に示すように長尺部２１と短尺部２２で「へ」字型をしており、長尺部２１の端部に嵌合部２３が形成されている。該嵌合部は前述ダンパー１０のロッド１３の端部に嵌合するものである。長尺部２１の両側二箇所には摺動ピン２４、２４が突設されており、短尺部２２の下端部には軸穴２５が穿設されている。
【００２２】  トリガー３０は、図１０〜１２に示すように、「コ」字型をしており、上辺部３１の右上部が突出していて、ここに軸３２が横方に突設されている。該軸を前述ランナー２０の軸穴２５に挿通することにより、トリガー３０はランナー２０に対して回動自在に取り付けられる。また軸３２には、図２に示すように、ネジリバネＢが設置されており、トリガー３０がシリンダー方向（図５の左方）に強制回動するようネジリバネの一端をランナー２０に、そしてネジリバネのもう一端をトリガー３０に係止させてある。トリガーを強制回動させるには、トリガーに引張りバネを係止し、該引張りバネでトリガーをダンパー方向に引っ張るようにしてもよい。
【００２３】  またトリガー３０の上辺部３１の両側二箇所には第一ガイドピン３３（図１０の左側）と第二ガイドピン３４が（図１０の右側）が突設されている。上辺部３１の両端には下方に向けて第一係合片３５（図１０の左側）と第二係合片３６（図１０の右側）が形成されており、第一係合片３５と第二係合片３６間の凹んだ部分が係合部３７となっている。該係合部は、後述ストライクを係合するものである。第一係合片３５と第二係合片３６は、共に外方に向けて傾斜部３８、３９が形成されているが、これらの傾斜部は引出が閉状態においてストライクが係合部３７から外れていた場合、ストライクを強く押すことによりストライクを傾斜に沿って係合部３７内の正常な位置に戻させるためのものである。
【００２４】  ケース４０は、樹脂製で図６に示すように上半部４１と下半部４２が上下対称となっており、上下間の中央部４３が薄く、折り曲げられるようになっている。従って、ケース４０は上半部４１と下半部４２の中央部４３で折って上下を合わせることにより内部が空洞の箱状となる。
【００２５】  ケース４０の端部には、前述ダンパー１０を収納できる収納部４４が形成されている。上半部４１と下半部４２の収納部は、それぞれダンパー１０のシリンダー１１と略同一形状の半円筒状の凹みとなっている。
【００２６】  またケース４０には、ランナー２０の走行を安定させるために、ランナーの移動方向にランナー摺動溝４５が形成されている。該ランナー摺動溝の長さは、シリンダー１１内のピストンの移動距離と略同一であり、ここにはランナー２０の摺動ピン２４、２４が入って、ランナーを安定した状態で摺動させるようになっている。
【００２７】  さらにまたケース４０には、ガイド溝４６が形成されている。該ガイド溝は、ランナーの摺動方向と平行しており、長尺部４７の一端（図６の左端）はシリンダー１１近傍でシリンダー方向（図６の下半部４２では上方）に傾斜した短尺部４８となっている。ガイド溝４６には、前述トリガー３０の第一ガイドピン３３と第二ガイドピン３４が入ってトリガーの移動を案内するようになっている。つまりトリガーは図中右方から左方に移動するとき、第一ガイドピン３３は長尺部４７に沿って移動し、その後、傾斜した短尺部４８に進入して移動が停止する。一方、第二ガイドピン３４は長尺部４７に沿って移動するが、トリガーが停止したときには、長尺部４７に留まっている。このときトリガー３０は傾斜した状態となる。
【００２８】  図４に示すように、ケースの下部には開口４９が形成されている。該開口はトリガー３０が容易に移動できる幅であり、開口の長手方向の長さは、トリガーが移動できる長さとなっている。そしてケースの適宜箇所にはネジ挿入孔Ｎ・・・が穿設されている。
【００２９】  ここで遅延装置と係合して遅延装置を作動させるストライクについて簡単に説明する。図１４、１５に示すように、ストライクＳは「Ｌ」字型をしている。ストライクＳの横方と縦方の脚部にはネジ挿入孔６１、６１が穿設されており、該ネジ挿入孔には図２に示すように、ネジを挿入して取り付け箇所に取り付ける。ストライクの角部となるところには矩形の係合突起６２が形成されている。該係合突起の幅Ｖは前述トリガー３０の係合部３７の幅よりも少し小さくなっている。
【００３０】  次に本発明の遅延装置を採用した引出の走行機構について説明する。図１に示す実施例では、分かりやすいように、複数の引出を有する家具Ｆに遅延装置ＣとストライクＳを取り付けたものである。キャビネットである家具Ｆの引出Ｈの側板ＧにストライクＳを取り付け、該側板に対向する家具Ｆの側壁Ｗの内側に遅延装置Ｃを取り付けてある。家具Ｆの側壁Ｗの内側にはトリガーの係合部３７を下方に向けた状態で遅延装置Ｃを取り付ける。そして該遅延装置と対向する引出の側板、正確には遅延装置のトリガー３０の係合部３７とストライクＳの係合突起６２が一致する位置にストライクＳを取り付ける。
【００３１】  ここで上記のように遅延装置とストライクを取り付けた家具において、引出開閉時の遅延装置の変動について図１３の（ａ）〜（ｄ）で説明する。
【００３２】（図１３（ａ））引出が家具の収納部に納まった状態、すなわち図１の家具Ｆの第二段目の引出、第三段目の引出ように、引出が閉まった状態であり、遅延装置Ｃのトリガー３０は係合部３７がストライクＳと係合している。この状態で引出を引き出すと、引出に取り付けられたストライクＳは矢印Ｘ方向に移動しようとする。このとき遅延装置Ｃのトリガー３０は、引出に取り付けられたストライクＳと係合しているため、トリガーも矢印Ｘ方向に移動しようとする。しかしながらトリガー３０はランナー２０、ロッド１３を介してピストン１２と連動しており、シリンダー１１内には流体が入っているため、ピストン１２は容易には矢印Ｘ方向に移動しない。そしてシリンダー１１内の流体はピストンに押されて図示しないオリフィスや小間隙から少しずつシリンダーから流出いくため、ピストン１２がゆっくりと矢印Ｘ方向に移動するとともに、トリガーもゆっくりと矢印Ｘ方向に移動する。即ち、トリガーとストライクが係合している間は、ストライクを取り付けた引出は引き出す速度が遅くなっているものである。
【００３３】（図１３（ｂ））ストライクＳの移動に伴ってピストン１２がゆっくりと矢印Ｘ方向に移動する。するとトリガー３０も矢印Ｘ方向に移動し、トリガーの第一ガイドピン３３と第二ガイドピン３４はガイド溝４６の長尺部４７に沿って移動する。そしてさらにトリガー３０の移動が進むと、ネジリバネＢのバネ附勢により、トリガー３０の第一ガイドピン３３は、ガイド溝４６の傾斜した短尺部４８に進入する。このとき第二ガイドピン３４は、ガイド溝の長尺部４７に留まっているため、トリガー３３は傾斜し、第一係合片３５は図のように上方に持ち上がる。するとトリガーの係合部３７に係合していたストライクＳは該係合部から外れてフリーの状態になる。
【００３４】（図１３（ｃ））ストライクＳがトリガーの係合部３７から外れると、ストライクは遅延装置から何の拘束を受けることがないため、その後は引出を開ける人の好きな自由速度、即ち引出の中に引出から飛び出しては問題となる物に気が付いた場合は、ゆっくりとした速度で引出を開けることができる。
【００３５】（図１３（ｄ））引出が開いた状態では、遅延装置Ｃはトリガー３０の第一ガイドピン３３がガイド溝４６の短尺部４８に存在しているため、トリガー３０は第一係止片３５が上方に持ち上がって、ケース４０の開口４９内にほとんど没していて、第二係止片３６だけがケース４０から突出している。遅延装置Ｃがこの状態になっているときに、開いていた引出を閉めると、引出に取り付けられていたストライクＳは矢印Ｙ方向に移動し、ケース４０から突出していた第二係止片３６に当たる。すると第二係止片３６は、ストライクＳに押されて第二ガイドピン３４が長尺部４７に沿って移動するため、短尺部４８に進入していた第一ガイドピン３３は長尺部４７に進入し、傾斜していたトリガー３０は傾斜が直ってストライクＳとトリガーの係合部３７が再度係合する。
【００３６】  以上説明したように、本発明の引出の走行機構は、キャビネットの側壁と引出の側板にそれぞれ遅延装置又はストライクを設置して、引出の閉時にストライクと遅延装置を係合させるようにしてあるため、引出を開ける初期に引出の走行速度を遅くすることができる。従って、この発明によれば引出の開放時に引出の走行速度が速まることによる問題を全く発生させることがない。また本発明の遅延装置は、引出の初期走行速度を確実に遅らせることができるという信頼性を有するものである。
【産業上の利用可能性】
【００３７】  本発明は、食器洗浄機、精密部品収納体、劇薬収納体、家具等に限らず、開放初期の引出の走行速度を遅くしたいキャビネットであれば、いかなるキャビネットにも適用できるものである。
【符号の説明】
【００３８】Ｃ  遅延装置
Ｓ  ストライク
Ｆ  家具
Ｈ  引出
１０  ダンパー
１１  シリンダー
１２  ピストン
１３  ロッド
２０  ランナー
２３  嵌合部
２４  摺動ピン
２５  軸穴
３０  トリガー
３３  第一ガイドピン
３４  第二ガイドピン
３５  第一係合片
３６  第二係合片
３７  係合部
４０  ケース
４４  ダンパー収納部
４５  ランナー摺動溝
４６  ガイド溝
４７  長尺部
４８  短尺部
４９  開口
【図１】
2015116452.tif 000003
【図２】
2015116452.tif 000004
【図３】
2015116452.tif 000005
【図４】
2015116452.tif 000006
【図５】
2015116452.tif 000007
【図６】
2015116452.tif 000008
【図７】
2015116452.tif 000009
【図８】
2015116452.tif 000010
【図９】
2015116452.tif 000011
【図１０】
2015116452.tif 000012
【図１１】
2015116452.tif 000013
【図１２】
2015116452.tif 000014
【図１３】
2015116452.tif 000015
【図１４】
2015116452.tif 000016
【図１５】
2015116452.tif 000017